(57)【要約】      （修正有）【課題】エアーバックに息を吹込む際に、簡単な構造で、だれでも簡単に取り扱え、短時間でエアーバックに息を吹込む事が出来る息吹込口を提供する。【解決手段】息吹込口に楕円形の抜け落ち防止部７を取付け、エアーバック１に息を吹き込む際には、前歯で息吹込口を噛む事により半円周切れ込みを入れた筒部分の切れ込み部が開口し、息をエアーバック内部に吹込む事が容易になると共に、エアーバックの内部が空気で満たされた後は、エアーバックの内部空気の圧力により半円周切れ込みを入れた筒部分が息吹込筒と密着し、エアーバックから空気の漏れを止める事を可能としたエアーバック用の息吹込口を提供する。【選択図】図１
2014019423.tif 000002
【特許請求の範囲】
【請求項１】
水難救命具用のエアーバックに息を吹き込むための息吹込口において、前歯と唇の間に挿入する薄くて楕円形の抜け落ち防止部と、エアーバックに息を吹き込むための円筒状の息吹込筒を抜け落ち防止部の中央部に樹脂で一体成型し、息吹込筒の口内側は歯で噛み付いて息を吹き込む事が出来るような太さと長さで構成し、息吹込筒の口外側はコップの底部と同様に塞ぎ、塞いだ息吹込筒の近傍の息吹込筒の筒部分に、概ね半円周切れ込みを入れ、エアーバックに息を吹き込む際には、前歯で息吹込口を噛む事により半円周切れ込みを入れた筒部分の切れ込み部が開口し、息をエアーバック内部に吹込む事が容易くなると共に、エアーバックの内部が空気で満たされた後は、エアーバックの内部空気の圧力により半円周切れ込みを入れた筒部分が息吹込筒と密着し、エアーバックから空気の漏れを止めた事を特徴とするポリ製給排気口。
【請求項２】
抜け落ち防止部の口外側の息吹込筒に、息吹込筒の外形より大きく、なおかつ円周面の左右に突起を形成した筒状の長いチューブの一方の切断面を溶着すると共に、他方をエアーバックの溶着する箇所に差し込み、チューブの円周面とエアーバックを溶着した事を特徴とする請求項１に記載のポリ製給排気口。
【請求項３】
エアーバック用の息吹込口とチューブをポリオレフィン樹脂で成型した事を特徴とする請求項１と２に記載のポリ製給排気口。
【発明の詳細な説明】
【技術分野】
【０００１】  本発明は、水難救命具に装着するエアーバックに息を吹込んで膨張させるための給排気口に関するものである。
【背景技術】
【０００２】  水害時に生命を守り避難するための水難救命具に関しては、救命胴衣（ライフジャケット）や浮輪等の救命用具が数多く発売されているが、実際の水難発生時においては、避難者は気が動転していることが多く、首回りや胸部に装着して避難するための水難救命具（エアーバック）に息を吹込む際、従来の息吹込口の形状は、単なる筒状の形状のため息吹込口を指でつかんで保持する必要があり、さらに、強く息を吹込むと息吹込口が口より外れる事もあり、短時間でエアーバックに息を吹込む事は容易でなかった。【０００３】  さらに、従来の息吹込口においては、人が指で息吹込口を摘んで口に添えて息を吹込む構造となっていたため、水害発生時のような緊急時において、エアーバックに息を吹込む作業をしている間、指はエアーバックに息を吹込む作業に専念せざるを得ず、緊急時における、息吹込口の操作性が問題となっていた。【０００４】  このような事から、万一の津波や水害等に備えて、容易に口に銜え、早く確実に、水難救命具（エアーバック）に息を吹込む事が出来る息吹込口が必要であるが、現実には、実用化されていないのが現状であった。
【先行技術文献】
【特許文献】
【０００５】  下記の３件の特許文献においても、空気注入口は、いずれも水難救命具用のエアーバックで使用される事を想定していないため、エアーバックの空気注入口を口で銜えて息を吹込む際に、空気注入口が口に固定されず容易に外れるため、緊急避難時に空気注入口として使用するには問題があった。
【特許文献１】特開平７−１９５５７９
【特許文献２】特開２００５−２１９７９９
【特許文献３】特開平１０−３０９３８６
【発明の概要】
【発明が解決しようとする課題】
【０００６】  上記のような空気注入口においては、エアーバックに息を吹込む事は出来るが、口から外れる事を想定して作られていないため、津波や水害等の緊急避難時において、短時間でエアーバックに十分な量の息を吹込む事が出来ない場合、エアーバックが正規の機能を果たす事が出来ないため、頭部が水中に水没して水を多量に飲み込み気絶して死亡する場合もあった。【０００７】  このように、エアーバックに息を吹込む際に、簡単な構造で、だれでも簡単に取り扱え、短時間でエアーバックに息を吹込む事が出来るポリ製給排気口を提供する事を課題とする。
【課題を解決するための手段】
【０００８】  かかる課題を解決するために、請求項１に記載の発明は、水難救命具用のエアーバックに息を吹き込むための息吹込口において、前歯と唇の間に挿入する薄くて楕円形の抜け落ち防止部と、エアーバックに息を吹き込むための円筒状の息吹込筒を抜け落ち防止部の中央部に樹脂で一体成型し、息吹込筒の口内側は歯で噛み付いて息を吹き込む事が出来るような太さと長さで構成し、息吹込筒の口外側はコップの底部と同様に塞ぎ、塞いだ息吹込筒の近傍の息吹込筒の筒部分を、概ね半円周切れ込みを入れ、エアーバックに息を吹き込む際には、前歯で息吹込口を噛む事により半円周切れ込みを入れた筒部分の切れ込み部が開口し、息をエアーバック内部に吹込む事が容易くなると共に、エアーバックの内部が空気で満たされた後は、エアーバックの内部空気の圧力により半円周切れ込みを入れた筒部分が息吹込筒と密着し、エアーバックから空気の漏れを止めた事を特徴とする。【０００９】  請求項２に記載の発明は、請求項１に記載の構成に加え、抜け落ち防止部の口外側の息吹込筒に、息吹込筒の外形より大きく、なおかつ円周面の左右に突起を形成した筒状の長いチューブの一方の切断面を溶着すると共に、他方をエアーバックの溶着する箇所に差し込み、チューブの円周面とエアーバックを溶着した事を特徴とする。【００１０】  請求項３に記載の発明は、請求項１と２に記載の構成に加え、エアーバック用の息吹込口とチューブをポリオレフィン樹脂で成型した事を特徴とする。
【発明の効果】
【００１１】  請求項１に記載の発明によれば、水難救命具用のエアーバックに息を吹き込むための息吹込口において、前歯と唇の間に挿入する薄くて楕円形の抜け落ち防止部と、エアーバックに息を吹き込むための円筒状の息吹込筒を抜け落ち防止部の中央部に樹脂で一体成型し、息吹込筒の口内側は歯で噛み付いて息を吹き込む事が出来るような太さと長さで構成し、息吹込筒の口外側はコップの底部と同様に塞ぎ、塞いだ息吹込筒の近傍の息吹込筒の筒部分を、概ね半円周切れ込みを入れ、エアーバックに息を吹き込む際には、前歯で息吹込口を噛む事により半円周切れ込みを入れた筒部分の切れ込み部が開口し、息をエアーバック内部に吹込む事が容易くなると共に、エアーバックの内部が空気で満たされた後は、エアーバックの内部空気の圧力により半円周切れ込みを入れた筒部分が息吹込筒と密着し、エアーバックから空気の漏れを止めた事により、緊急避難時で気が動転している場合でも、息吹込口が口から外れることなく確実にエアーバックに息を吹込む事が可能となり、エアーバックの空気が不足する事が無くなり安全に避難する事が可能となった。【００１２】  請求項２に記載の発明によれば、抜け落ち防止部の口外側の息吹込筒に、息吹込筒の外形より大きく、なおかつ円周面の左右に突起を形成した筒状の長いチューブの一方の切断面を溶着すると共に、他方をエアーバックの溶着する箇所に差し込み、チューブ円周面とエアーバックを溶着した事により、円周面の左右の突起がエアーバックと溶着させる面積を増やして頑強に溶着する事が可能となるばかりでなく、複数のエアーホースを同時に使用する水難救命具において、チューブの長さを変更する場合には、チューブを切断して長さを調整する事が可能となり、複数の在庫を削減する事が可能となった。【００１３】  請求項３に記載の発明によれば、エアーバック用の息吹込口とチューブをポリオレフィン樹脂で成型した事により、エアーバックで用いるポリオレフィンフィルムと息吹込口を強力に溶着する事が可能となった。
【実施例１】
【００１４】  以下、この発明の実施の形態１について説明する。
［発明の実施の形態１］【００１５】  図１及至図３は、この発明の実施の形態１を示す。【００１６】  図１は、エアーバック２に息吹込口１を取付けた状態を平面図（図１ａ）と正面図（図１ｂ）の斜視図で示す。エアーバック２は、図３で示すように、津波や洪水等の水害時において、頭部を含む身体全体が津波や洪水にのみ込まれて息が出来なくなる様な危機的状態に陥った場合、人間４６が津波救命具３６を頭部５０に装着し、津波救命具３６の内部に装着されたエアーバック４５に息吹込口４８から息を吹込む事によりエアーバック４５を膨らませ、頭部を水上に浮上させて安全に避難するため津波救命具３６の内部に装着されて使用される製品であり、津波救命具３６の頭部カバー４３と首回りの間に水が浸入するのを防ぐと共に、頭部を水面上に浮かす役目を果たす。【００１７】  さらに、図３で示す津波救命具３６は、津波や洪水等の水害等で避難する際に、津波救命具３６が頭部５０から抜け落ちないように、頭部カバー４３には肩紐４７が取付けられ、津波救命具３６を両脇で抱えこむようにして頭部５０に装着する。さらに津波救命具３６の頭部カバー４３の上部には、ホース接続口４２が取付けられ、ホース接続口４２の上部接続口には自在に曲がる事ができる樹脂性のエアーホース４１が取付けられ、そのエアーホース４１の先端部には、ＬＥＤランプ３８と笛３９が取付けられた空気取入・排気口３７がフロート４０に固定され、津波や水害等で避難する際、人間が水中に水没した場合でもフロート４０により空気取入・排気口３７が水面に浮かんで呼吸ができるように構成されると共に、ホース接続口４２の下部接続口にはエアーホース４４が取付けられ、エアーホース４４の先端が口元近くに配置され、エアーホース４４の先端の吸排気口４９を口で銜えて呼吸する事により、人間４６が水中に水没した場合でも呼吸を可能とする。【００１８】  このように、図１で示すエアーバック２と息吹込口１は、津波や水害等で避難する際には最も重要な部品の一つであり、エアーバック２を膨らませる際に、だれでも簡単に取り扱う事ができ、さらに短時間で正確にエアーバック２に息を吹込む事が出来る息吹込口１を必要とした。【００１９】  つづいて、図１で示すエアーバック２の製造方法と、息吹込口１をエアーバック２に固定する方法について説明する。エアーバック２は樹脂フィルム４と樹脂フィルム１０で構成され、Ｃ形に裁断された樹脂フィルム４と樹脂フィルム１０の内側溶着面５を熱により溶着し、溶着された樹脂フィルム４と樹脂フィルム１０を裏返しにした後、樹脂フィルム４と樹脂フィルム１０の間にチューブ後端１２を挟み込み外側溶着面４を熱により溶着する事によりエアーバック２を製造する。その際、チューブ後端１２の内部が熱により溶着して閉口しないようにチューブ後端１２の内部に耐熱塗料を塗布して溶着しなければならない。【００２０】  図２は、図１で説明した息吹込口１を左側面図と正面図と右側面図で示す。息吹込口は柔らかい樹脂によりチューブ２３と息吹込筒３４と円盤２１と息吹込筒２６で構成され一体成型される。円盤２１は縦が約２５ｍｍ、横が約４０ｍｍ、厚さ約１ｍｍの楕円形状の樹脂で形成され、その円盤２１の中央部の口内側には、歯で噛み付いて息を吹き込む事が出来るように、外径が約１０ｍｍ、長さは約１０ｍｍ、厚さ約０．５ｍｍの息吹込筒２６が形成されると共に、円盤２１の中央部の口外側は、外径、内径が息吹込筒２６と同一寸法で、口外側がコップの底部と同様に塞いだ形状で、長さ約５ｍｍの息吹込筒３４が形成される。さらに口外側のチューブ２３の内径は息吹込筒３４の外形より約４ｍｍ大きく成形され、チューブ２３の外径には厚さ約１ｍｍ、長さ約３ｍｍの突起２２が左右に形成される。【００２１】  このように構成された息吹込口をエアーバックに溶着する際、チューブ２３の外形に形成した突起２２が、図１ｂの溶着部６で示すように樹脂フィルム３と樹脂フィルム１０の挟み込まれる事により、チューブ２２と、樹脂フィルム３と樹脂フィルム１０の溶着面積を増す事が可能となり溶着面の剥離を防ぐ役目を果たす。なお、息吹込口は、チューブ２３を必要な長さに切断したうえで、チューブ後端６を樹脂フィルム３と樹脂フィルム１０の間に挟み込み溶着する。このようにチューブ２３の長さを切断して使用する事により、一つの金型で各種エアーバックの息吹込口に使用する事が可能となりコストの削減につながった。【００２２】  さらに、図１で説明したエアーバック２に吹込んだ息が逆流してエアーバック２から空気が洩れないようにするための自動開閉式の逆止弁を作成する方法について説明する。図２で説明した息吹込筒２６から切れ込み工具３０を差込み、切れ込み工具３０の先端の伸縮棒２８を息吹込筒３４の底部１９に押し付ける事により、切れ込み部２７に内臓された刃３２が拡大図Ｂで示すように刃先回動部３１から息吹込筒３４の内部に押し出され、押し出された刃３２を息吹込筒３４に押し当て、切れ込み工具３０を半回転させる事により息吹込筒３４のコップの底部側に切れ込み３３が形成される。【００２３】  このように構成した抜け落ち防止部２０を、唇と前歯の間に円盤２１が挿入されるように銜え、前歯で息吹込筒２６を少し噛む事により円筒形の息吹込筒２６、息吹込筒３４が楕円状につぶれて息吹込筒３４の切れ込み３３の口が開き、息吹込筒２６からエアーバックに息を容易に吹込む事が可能となると共に、唇と前歯の間に円盤２１を銜え込んだ事により、抜け落ち防止部２０と息吹込筒２６が口の中で安定し、これまでのように、息吹込口を指で支える必要が無くなり、口だけで抜け落ち防止部２０を保持する事が可能となり息吹込筒２６からエアーバックに息を吹込む事が出来るようになった。
【実施例２】
【００２４】  以下、この発明の実施の形態２について説明する。
［発明の実施の形態２］【００２５】  図４は、この発明の実施の形態２を示す。上記発明の実施の形態１では、図２において、チューブ２３、円盤２１、息吹込筒２６、息吹込筒３４を一体成型し、息吹込筒２６から切れ込み工具３０を挿入し、切れ込み工具３０の先端に取付けられた刃３２により息吹込筒３４に半円周の切れ込み３３を形成したのに対して、この発明の実施の形態２では、チューブを一本の形状で一体成型するのではなく、チューブの真ん中に切れ込みを入れて上部チューブ６０と下部チューブ６５の２枚の半円状のチューブと円盤６１と息吹込筒６３、息吹込筒６８を一体成型させる。このように構成する事により、息吹込筒６３に切れ込み６６を入れる際、チューブが上部チューブ６０と下部チューブ６５に分かれて裂かれた状態となるので、容易に息吹込筒６３に切れ込み６６を入れる事が可能となる。図４ａは上部チューブ６０と下部チューブ６５が裂かれた状態を示す。【００２６】  図４ｂは図４ａで示した上部チューブ６０と下部チューブ６５を重ねて溶着した状態を示す。息吹込筒６３に切れ込み６６を形成した後、上部チューブ６０の突起６２と下部チューブ６５の突起６４を重ね合わせて溶着させる事により上部チューブ６０と下部チューブ６５は溶着されて一本のチューブとなる。その他の構造や円盤６１、息吹込筒６８の機能は、この発明の実施の形態１と同様である。
【実施例３】
【００２７】  以下、この発明の実施の形態３について説明する。
［発明の実施の形態３］【００２８】  図５は、この発明の実施の形態３を示す。上記発明の実施の形態１では、図２において、チューブ２３、円盤２１、息吹込筒２６、息吹込筒３４を一体成型し、息吹込筒２６から切れ込み工具３０を挿入し、切れ込み工具３０の先端に取付けられた刃３２により息吹込筒３４に半円周の切れ込み３３を形成したのに対して、この発明の実施の形態３では、抜け落ち防止部７８の息吹込筒８６と円盤８１と息吹込筒７９を一体成型で成型すると共に、チューブ７６は、別に一体成型で成型した。【００２９】  このように構成した、抜け落ち防止部７８の息吹込筒８６に、エアーバックに入れた息が逆流して空気が洩れないように逆止弁を形成するため、概ね半円周の切れ込み８４を入れると共に、抜け落ち防止部７８とチューブ７６を溶着する際、溶着面を広くして溶着部分を強固にするため、単にチューブ７６の切断面と円盤８１を溶着させるだけでなく、抜け落ち防止部７８の息吹込筒８６にチューブ７６の内径と同一の太さの円筒形の溶着部８３を構成し、チューブ７６の内側と溶着部８３を溶着した。その他の構造や円盤６１、息吹込筒６８の機能は、この発明の実施の形態１と同様である。
【実施例４】
【００３０】  以下、この発明の実施の形態４について説明する。
［発明の実施の形態４］【００３１】  図６は、この発明の実施の形態４を示す。上記発明の実施の形態１では、図２において、チューブ２３、円盤２１、息吹込筒２６、息吹込筒３４を一体成型し、息吹込筒２６から切れ込み工具３０を挿入し、切れ込み工具３０の先端に取付けられた刃３２により息吹込筒３４に半円周の切れ込み３３を入れていたのに対して、この発明の実施の形態４では、抜け落ち防止部９５の息吹込筒９６と円盤９３と息吹込筒９４を一体成型で成型すると共に、チューブ８９は、別に一体成型で作成した。【００３２】  このように構成した、抜け落ち防止部９５の息吹込筒９６に、エアーバックに入れた息が逆流して空気が洩れないように逆止弁を形成するため、息吹込筒９６に概ね半円周の切れ込み９８を入れると共に、抜け落ち防止部９５とチューブ８９を溶着する際、溶着面を広くして溶着部分を強固にするため、単にチューブ８９の切断面と円盤９３を溶着させるだけでなく、抜け落ち防止部９５の円盤９３の口外側９１に、チューブ８９の断面と同一形状の凹部を浅く欠き込み、チューブ８９を円盤９３に欠き込んだ凹部９７に差し込み溶着させた。その他の構造や円盤６１、息吹込筒６８の機能は、この発明の実施の形態１と同様である。
【実施例５】
【００３３】  以下、この発明の実施の形態５について説明する。
［発明の実施の形態５］【００３４】  図７は、この発明の実施の形態５を示す。上記発明の実施の形態２では、図４において、チューブの真ん中に切れ込みを入れて上部チューブ６０と下部チューブ６５の２枚のチューブで円盤６１と息吹込筒６３、息吹込筒６８を一体成型したのに対して、この発明の実施の形態５では、チューブ１１５の片面を裂き、チューブ１１５、円盤１１０、息吹込筒１１１、息吹込筒１２１を一体成型させた。このように構成する事により、息吹込筒１１１に切れ込み１１９を入れる際、チューブ１１５の根元１１８部分から刃物を挿入する事が可能となり、容易に息吹込筒１１１に切れ込み１１９を入れる事が出来るようになった。図７ａはチューブ１１５が裂かれた状態を示し、図７ｂは、図７ａで示したチューブ１１５の突起１１３と突起１１４の先端を合わせて溶着した状態を示す。【００３５】  さらに、上記発明の実施の形態２では、図４ｂにおいて、突起６２、突起６４を板状で構成しているが、この発明の実施の形態５では、突起１１２と重ね合わせた突起１１３、突起１１４を角が滑らかな菱形状に構成し、エアーバックとチューブ１１５との溶着部分を広くなめらかにすると共に、抜け落ち防止部１２０を口に銜えた際に、口元から息が洩れるのを防止した。【００３６】  さらに、上記発明の実施の形態２では、図４において、息吹込筒６８を丸い筒状で形成したが、この発明の実施の形態５では、息吹込筒１２１の歯が銜える先端の形状を丸く凸状に形成した事により、歯で息吹込筒１２１を容易に噛み付き保持する事が可能となった。その他の構造や円盤１１０、息吹込筒１１１の機能は、この発明の実施の形態２と同様である。【００３７】  以上の実施の形態に基づいて、本発明に係るエアーバック用の息吹込口について詳細に説明してきたが、本発明は、以上の実施の形態に限定されるものではなく、発明の趣旨を逸脱しない範囲において各種の改変をなしても、本発明の技術的範囲に属するのはもちろんである。【００３８】  発明の名称で、ポリ製給排気口と記載しているが、当然ながら、ポリ製給排気口に限定せず、息吹込口を使用する全ての製品に使用する事も、もちろん可能である。【００３９】  図２において、突起２２の形状を約３ｍｍの突起と記したが、突起の長さ形状については、これに拘ることなく、長さを長短にしたり形状を三角形状等で形成する事も、もちろん可能である。
【図面の簡単な説明】
【００４０】
【図１】この発明の実施の形態１に係る、エアーバックにポリ製給排気口を取付けた状態を斜視図で示す。
【図２】同実施の形態に係る、ポリ製給排気口を正面図と側面図で示す。
【図３】同実施の形態に係る、人間が津波救命具を頭部に装着した際の、エアーバックとポリ製給排気口の位置関係を示す。図３ａは人間が津波救命具を頭部に装着した状態を正面図で示し、図３ｂは人間が津波救命具を頭部に装着した状態を側面図で示す。
【図４】この発明の実施の形態２に係る、ポリ製給排気口を正面図と側面図で示す。
【図５】この発明の実施の形態３に係る、ポリ製給排気口を斜視図で示す。
【図６】この発明の実施の形態４に係る、ポリ製給排気口を斜視図で示す。
【図７】この発明の実施の形態５に係る、ポリ製給排気口を斜視図で示す。
【符号の説明】
【００４１】１                  エアーバック
２                  樹脂フィルム
３                  外側溶着面
４                  内側溶着面
５                  溶着部
６                  チューブ
７                  抜け落ち防止部
８                  円盤
９                  樹脂フィルム
１０                息吹込筒
１１                チューブ後端
１９                底部
２０                抜け落ち防止部
２１                円盤
２２                突起
２３                チューブ
２４                息吹込筒
２５                チューブ後端
２６                息吹込筒
２７                切れ込み部
２８                伸縮棒
２９                柄
３０                切れ込み工具
３１                刃先回動部
３２                刃
３３                切れ込み
３４                息吹込筒
３６                津波救命具
３７                空気取入・排気口
３８                ＬＥＤランプ
３９                笛
４０                フロート
４１                エアーホース
４２                ホース接続口
４３                頭部カバー
４４                エアーホース
４５                エアーバック
４６                人間
４７                肩紐
４８                息吹込口
４９                吸排気口
５０                頭部
５１                息吹込口
５２                外カバー
６０                上部チューブ
６１                円盤
６２                突起
６３                息吹込筒
６４                突起
６５                下部チュープ
６６                切れ込み
６７                抜け落ち防止部
６８                息吹込筒
７５                チューブ後端
７６                チューブ
７７                突起
７８                抜け落ち防止部
７９                息吹込筒
８０                口内側
８１                円盤
８２                口外側
８３                溶着部
８４                切れ込み
８５                溶着
８６                息吹込筒
８８                チューブ後端
８９                チューブ
９０                突起
９１                口外側
９２                口内側
９３                円盤
９４                息吹込筒
９５                抜け落ち防止部
９６                息吹込筒
９７                凹部
９８                切れ込み
９９                溶着
１１０              円盤
１１１              息吹込筒
１１２              突起
１１３              突起
１１４              突起
１１５              チューブ
１１６              突起根元
１１７              チューブ後端
１１８              根元
１１９              切れ込み
１２０              抜け落ち防止部
１２１              息吹込筒
【図１】
2014019423.tif 000003
【図２】
2014019423.tif 000004
【図３】
2014019423.tif 000005
【図４】
2014019423.tif 000006
【図５】
2014019423.tif 000007
【図６】
2014019423.tif 000008
【図７】
2014019423.tif 000009
【手続補正書】
【提出日】平成24年8月15日(2012.8.15)
【手続補正１】
【補正対象書類名】特許請求の範囲
【補正対象項目名】請求項１
【補正方法】変更
【補正の内容】
【請求項１】
水難救命具用のエアーバックに息を吹き込むための息吹込口において、前歯と唇の間に挿入する薄くて楕円形の抜け落ち防止部と、エアーバックに息を吹き込むための円筒状の息吹込筒を抜け落ち防止部の中央部に樹脂で一体成型し、息吹込筒の口内側は歯で噛み付いて息を吹き込む事が出来るような太さと長さで構成し、息吹込筒の口外側はコップの底部と同様に塞ぎ、塞いだ息吹込筒の近傍の息吹込筒の筒部分に、概ね半円周切れ込みを入れ、エアーバックに息を吹き込む際には、前歯で息吹込口を噛む事により半円周切れ込みを入れた筒部分の切れ込み部が開口し、息をエアーバック内部に吹込む事が容易くなると共に、エアーバックの内部が空気で満たされた後は、エアーバックの内部空気の圧力により半円周切れ込みを入れた筒部分が息吹込筒と密着し、エアーバックから空気の漏れを止めた事を特徴とする給排気口。
【手続補正２】
【補正対象書類名】特許請求の範囲
【補正対象項目名】請求項２
【補正方法】変更
【補正の内容】
【請求項２】
抜け落ち防止部の口外側の息吹込筒に、息吹込筒の外形より大きく、なおかつ円周面の左右に突起を形成した筒状の長いチューブの一方の切断面を溶着すると共に、他方をエアーバックの溶着する箇所に差し込み、チューブの円周面とエアーバックを溶着した事を特徴とする請求項１に記載の給排気口。
【手続補正３】
【補正対象書類名】特許請求の範囲
【補正対象項目名】請求項３
【補正方法】変更
【補正の内容】
【請求項３】
エアーバック用の息吹込口とチューブをポリオレフィン樹脂で成型した事を特徴とする請求項１と２に記載の給排気口。
【手続補正５】
【補正対象書類名】明細書
【補正対象項目名】０００７
【補正方法】変更
【補正の内容】
【０００７】  このように、エアーバックに息を吹込む際に、簡単な構造で、だれでも簡単に取り扱え、短時間でエアーバックに息を吹込む事が出来る給排気口を提供する事を課題とする。
【手続補正６】
【補正対象書類名】明細書
【補正対象項目名】００３８
【補正方法】削除
【補正の内容】
【手続補正７】
【補正対象書類名】明細書
【補正対象項目名】００４０
【補正方法】変更
【補正の内容】
【００４０】
【図１】この発明の実施の形態１に係る、エアーバックに給排気口を取付けた状態を斜視図で示す。
【図２】同実施の形態に係る、給排気口を正面図と側面図で示す。
【図３】同実施の形態に係る、人間が津波救命具を頭部に装着した際の、エアーバックと給排気口の位置関係を示す。図３ａは人間が津波救命具を頭部に装着した状態を正面図で示し、図３ｂは人間が津波救命具を頭部に装着した状態を側面図で示す。
【図４】この発明の実施の形態２に係る、給排気口を正面図と側面図で示す。
【図５】この発明の実施の形態３に係る、給排気口を斜視図で示す。
【図６】この発明の実施の形態４に係る、給排気口を斜視図で示す。
【図７】この発明の実施の形態５に係る、給排気口を斜視図で示す。